【手続補正書】
【提出日】平成24年4月17日(2012.4.17)
【手続補正１】
【補正対象書類名】特許請求の範囲
【補正対象項目名】全文
【補正方法】変更
【補正の内容】
【特許請求の範囲】
【請求項１】
データ配信システムであって、
１又は複数のデータ配信サーバと、
該１又は複数のデータ配信サーバへデータを公開するための少なくとも１つの第１のユーザインターフェースを実装するよう構成された少なくとも１つのデータ管理デバイスと、
前記データをダウンロードするための１又は複数のパラメータについて記述する一連の命令を生成するように構成された少なくとも１つのデータ管理サーバと、
該データ管理サーバから該一連の命令を受信し、かつ、該１又は複数のデータ配信サーバから該データをダウンロードするための少なくとも１つの第２のユーザインターフェースを実装するよう構成された少なくとも１つのクライアントデバイスと、
を具備し、
該少なくとも１つの第２のユーザインターフェースは、該データが、該１又は複数のデータ配信サーバのいずれからダウンロードされるべきかを決定するために該一連の命令を使用し、
該少なくとも１つのクライアントデバイスは、該少なくとも１つの第２のユーザインターフェースが、該１又は複数のデータ配信サーバのいずれが最速の転送速度を有するかを特定し、かつ、より遅い転送速度を備えたものに対して該特定された１又は複数のデータ配信サーバを使用することによって、実行時にデータ処理能力を動的にバランスを取ることにより、該１又は複数のデータ配信サーバのいずれから該データをダウンロードするべきかを決定するために該一連の命令を使用するように構成される
ことを特徴とするコンテンツ配信システム。
【請求項２】
該少なくとも１つのデータ管理デバイスは、データが、該１又は複数のデータ配信サーバからプルされる、もしくは、該１又は複数のデータ配信サーバにプッシュされる結果、該１又は複数のデータ配信サーバが、インターネット接続されたサーバの冗長アレイとして提供されるように構成されることを特徴とする請求項１に記載のデータ配信システム。
【請求項３】
該データコンテンツの少なくとも一部は暗号化され、かつ、
該少なくとも１つのデータ管理サーバは、該一連の命令が、該１又は複数のデータ配信サーバからダウンロードされた該暗号化されたデータを解読する際、該少なくとも１つの第２のユーザインターフェースによって使用されるパラメータを含むように構成されることを特徴とする請求項１に記載のデータ配信システム。
【請求項４】
該少なくとも１つのデータ管理サーバは、該一連の命令が、該少なくとも１つの第２のユーザインターフェースが、該１又は複数のデータ配信サーバからデータをダウンロードすることができる日付及び時間の少なくとも１つを定義するパラメータを含むように構成されることを特徴とする請求項１に記載のデータ配信システム。
【請求項５】
該少なくとも１つのデータ管理サーバは、クライアントデバイスの第１のグループが、１又は複数のデータ配信サーバの対応する第１のグループ上のデータへのアクセス権を有し、かつ、クライアントデバイスの少なくとも１つの第２のグループが、１又は複数のデータ配信サーバの少なくとも１つの対応する第２のグループ上のデータへのアクセス権を有するように構成されることを特徴とする請求項１に記載のデータ配信システム。
【請求項６】
該少なくとも１つのデータ管理デバイスは、該少なくとも第１のユーザインターフェースが、コンピュータ可読の命令を実行して、１又は複数のデータ配信サーバの対応する第１のグループ上のデータへのアクセス権を備えた１又は複数のクライアントデバイスの第１のグループと、１又は複数のデータ配信サーバの少なくとも１つの対応する第２のグループ上のデータへのアクセス権を備えた１又は複数のクライアントデバイスの少なくとも１つの第２のグループと、を定義するように構成されることを特徴とする請求項１に記載のデータ配信システム。
【請求項７】
該少なくとも１つのデータ管理サーバは、該少なくとも１つの第２のユーザインターフェースが、１又は複数のデータ配信サーバの第１のグループ上のデータ、及び、１又は複数のデータ配信サーバの少なくとも１つの第２のグループ上のデータ、へのアクセス権を有するようにプログラミングされ、
１又は複数のデータ配信サーバの該第１のグループ上の該データの少なくとも一部は、１又は複数のデータ配信サーバの該少なくとも１つの第２のグループ上の該コンテンツの少なくとも一部と同じであり、
該少なくとも１つのクライアントデバイスは、該少なくとも１つの第２のユーザインターフェースが、コンピュータ可読の命令を実行して、１又は複数のデータ配信サーバの該第１のグループ及び第２のグループ上の同じ該データのうちたった１つのインスタンスだけをダウンロードする、
ことを特徴とする請求項１に記載のデータ配信システム。
【請求項８】
該少なくとも１つの第１のユーザインターフェースと、該１又は複数のデータ配信サーバと、該少なくとも１つのデータ管理サーバと、該少なくとも１つの第２のユーザインターフェースと、が、安全なコンピュータネットワーク通じて互いが相互連結されることを特徴とする請求項１に記載のデータ配信システム。
【請求項９】
該少なくとも１つのクライアントデバイスは、データをダウンロードするために該１又は複数のデータ配信サーバに無線で接続するタブレットＰＣを具備することを特徴とする請求項１に記載のデータ配信システム。
【請求項１０】
１又は複数のクライアントデバイスにデータを配信するための方法であって、
該データをダウンロードするための１又は複数のパラメータを備えた１又は複数のデータ配信サーバを具備する少なくとも１つの公開チャンネルを作るステップと、
該少なくとも１つの公開チャンネル上の該１又は複数のデータ配信サーバへ該データを公開するステップと、
該１又は複数のパラメータのうち少なくとも１つを具備する一連の命令を作成するステップと、
該１又は複数のクライアントデバイス上で動作する１又は複数のユーザインターフェースで前記一連の命令を受信するステップと、
該データをダウンロードする際に、該１又は複数のデータ配信サーバのいずれがアクセスされるべきか選択するために、該１又は複数のクライアントデバイスにおいて該一連の命令を使用するステップであって、
該データをダウンロードする際に、該１又は複数のデータ配信サーバのいずれがアクセスされるべきか選択するために、該一連の命令を使用するステップは、該１又は複数のクライアントデバイスにおいて、該１又は複数のデータ配信サーバのいずれが最速の転送速度を有するかを特定し、かつ、より遅い転送速度を備えたものに対して該特定された１又は複数のデータ配信サーバを選択することによって、実行時にデータ処理能力を動的にバランスを取ることを含むことを特徴とするステップと、
前記選択された１又は複数のデータ配信サーバから前記１又は複数のユーザインターフェースへ該データをダウンロードするステップと、
を具備するデータを配信するための方法。
【請求項１１】
データが、該１又は複数のデータ配信サーバからプルされる、もしくは、該１又は複数のデータ配信サーバにプッシュされる結果、該データ配信サーバが、インターネット接続されたサーバの冗長アレイとして提供されることを特徴とする請求項１１に記載の方法。
【請求項１２】
該データを暗号化するステップをさらに具備し、該一連の命令は、該公開チャンネルからダウンロードされた該暗号化されたデータを解読する際に、該１又は複数のユーザインターフェースによって使用されるパラメータを含むことを特徴とする請求項１１に記載の方法。
【請求項１３】
該一連の命令は、該１又は複数のユーザインターフェースの少なくとも１つが、該公開チャンネルからデータをダウンロードできる日付及び時間の少なくとも１つを定義するパラメータを含むことを特徴とする請求項１１に記載の方法。
【請求項１４】
該少なくとも１つの公開チャンネルを作るステップは、ユーザインターフェースの対応する第１のグループがアクセス権を有する１又は複数のデータ配信サーバの第１のグループを定義すること、及び、ユーザインターフェースの少なくとも１つの対応する第２のグループがアクセス権を有する１又は複数のデータ配信サーバの少なくとも第２のグループを定義することを具備することを特徴とする請求項１１に記載の方法。
【請求項１５】
該少なくとも１つの公開チャンネルを作る該ステップは、１又は複数のウェブサーバの対応する第１のグループ上のデータへのアクセス権を備えた１又は複数のユーザインターフェースの少なくとも１つの第１のグループと、１又は複数のデータ配信サーバの少なくとも１つの対応する第２のグループ上のデータへのアクセス権を備えた１又は複数のユーザインターフェースの少なくとも１つの第２のグループと、を定義するためにコンピュータ可読の命令を実行する少なくとも１つのデータマネージャインターフェースにより行われることを特徴とする請求項１１に記載の方法。
【請求項１６】
該１又は複数のユーザインターフェースの少なくとも１つは、１又は複数のデータ配信サーバの第１のグループ上のデータと、１又は複数のデータ配信サーバの少なくとも１つの第２のグループ上のデータと、へのアクセス権を有し、
１又は複数のデータ配信サーバの該第１のグループ上の該データの少なくとも一部は、１又は複数のデータ配信サーバの該少なくとも１つの第２のグループ上の該データの少なくとも一部と同じであり、
該少なくとも１つのユーザインターフェースは、１又は複数のデータ配信サーバの該第１のグループ及び第２のグループ上の同じ該データのうちたった１つのインスタンスをダウンロードするためのコンピュータ可読の命令を実行する、
ことを特徴とする請求項１１に記載の方法。
【請求項１７】
該１又は複数のデータ配信サーバ、及び、該少なくとも１つのユーザインターフェースは、安全なコンピュータネットワーク通じて互いが相互連結されることを特徴とする請求項１１に記載の方法。
【請求項１８】
該１又は複数のクライアントデバイスは、該データをダウンロードするために該１又は複数のデータ配信サーバに無線で接続するタブレットＰＣを具備することを特徴とする請求項１１に記載の方法。